(57)【特許請求の範囲】
【請求項１】
容器体（２）と、容器体（２）の口頸部（１２）に装着キャップ（Ａ）を嵌合させて装着するトリガー式ポンプ（３）とを備え、
トリガー式ポンプ（３）は、上部より前方へ射出筒（６４）を、その下方より前方へシリンダ（３０）をそれぞれ突設した本体（Ｂ）と、射出筒（６４）先端に嵌着したノズル（Ｅ）と、本体（Ｂ）下部に回動可能に装着して容器体（２）の口頸部（１２）に嵌合させた装着キャップ（Ａ）と、射出筒（６４）前部から揺動可能に垂下するトリガー（Ｈ）と、シリンダ（３０）に前方付勢状態で嵌合させたプランジャ（Ｆ）とを備え、
トリガー操作によるプランジャ（Ｆ）の後退で、シリンダ（３０）内の液が吐出弁（５５）、射出筒（６４）を通ってノズル（Ｅ）から噴出され、トリガー開放によるプランジャ（Ｆ）の前進で、容器体（２）内液体がパイプ（Ｃ）、吸込み弁（５３）を通ってシリンダ（３０）内に流入する如く構成したトリガー式液体噴出器に於いて、
パイプ（Ｃ）を介して容器体（２）内よりシリンダ（３０）内に至る第１縦流路（ｐ１）と、シリンダ（３０）内より射出筒（６４）に至る第２縦流路（ｐ２）とを本体（Ｂ）内に備え、シリンダ（３０）内後端部に嵌着した弁部材（Ｄ）により、第１縦流路（ｐ１）とシリンダ（３０）内との間に吸込み弁（５３）を、シリンダ（３０）内と第２縦流路との間に吐出弁（５５）をそれぞれ形成し、
先端を吸込み弁座（３３）とするとともに、シリンダ（３０）内と縦筒（２８）内とを連通する筒部（３２）をシリンダ（３０）内後端に突設し、その周囲に筒状の吐出弁座（３６）を突設し、弁部材（Ｄ）は、筒部（３２）外方に嵌着した装着筒部（５０）の先端に、弾性板（５１）で支持して吸込み弁座（３３）に圧接した吸込み弁体（５２）を張設し、吐出弁座（３６）内周に後端縁を圧接するスカート状の吐出弁体（５４）を装着筒部（５０）外周より突設して構成し、
吐出弁座（３６）の内面にシリンダ（３０）内と第２縦流路（ｐ２）との間を連通するバックサクション用の凹溝（４３）を設けたトリガー式液体噴出器。
【請求項２】
本体（Ｂ）を、シリンダ（３０）を備えた下部部材（Ｂ１）と、射出筒（６４）を備えた上部部材（Ｂ２）とで構成し、下部部材（Ｂ１）に装着キャップ（Ａ）とパイプ（Ｃ）とプランジャ（Ｆ）とを、上部部材（Ｂ２）にノズル（Ｅ）とトリガー（Ｈ）と、本体（Ｂ）の上面、両側面、後面を覆合するカバー（Ｉ）とを、それぞれ装着する構成とし、プランジャ（Ｆ）先端をトリガー（Ｈ）に枢着させてトリガー（Ｈ）の揺動とプランジャ（Ｆ）の前後動を連係させ、別に装着したバネ部材（Ｇ）でトリガー（Ｈ）を前方付勢することでプランジャ（Ｆ）を前方付勢する如く構成した請求項１に記載のトリガー式液体噴出器。
【請求項３】
バネ部材（Ｇ）は、射出筒（６４）の上に嵌着した取付基部（８０）と、取付基部（８０）の両側からそれぞれ垂設した一対のバネ板（８１）とを備え、取付基部（８０）にトリガー（Ｈ）の上部を枢着するとともに、バネ板（８１）とトリガー（Ｈ）とを連係させてトリガー（Ｈ）を前方へ押圧付勢させている請求項２に記載のトリガー式液体噴出器。
【請求項４】
下部部材（Ｂ１）は、周囲に装着キャップ（Ａ）を回動可能に嵌合させた基筒部（２５）と、基筒部（２５）内の後部偏心位置に基筒部頂壁（２７）を貫通して支持されるとともに、下部にパイプ（Ｃ）を嵌着した縦筒（２８）と、縦筒（２８）の前部に突設したシリンダ（３０）とを備え、上部部材（Ｂ２）は、縦筒（２８）上端部に嵌着した嵌着筒（６０）より前方へ射出筒を突設し、射出筒（６４）先端にノズル（Ｅ）を嵌着して構成し、縦筒（２８）内所定位置に上下を遮断する遮断壁（３４）を設けて、その下方を、パイプ（Ｃ）を介して容器体（２）内よりシリンダ（３０）内に至る第１縦流路（ｐ１）として構成し、その上方を、シリンダ（３０）内より射出筒（６４）に至る第２縦流路（ｐ２）として構成した請求項２又は請求項３に記載のトリガー式液体噴出器。
【発明の詳細な説明】
【技術分野】
【０００１】
本発明はトリガー式液体噴出器に関する。
【背景技術】
【０００２】
トリガー式液体噴出器として、容器体にトリガー式ポンプを装着させて構成され、トリガー操作により容器体内の液をノズルより噴出する如く構成したものが種々提案されている。（例えば、特許文献１参照）
【０００３】
特許文献１に記載されたトリガー式液体噴出器は、垂直筒の中間部からシリンダを、上端部から射出筒をそれぞれ前方へ突出し、また、上面及び左右側面、更に後面を、カバー壁で覆合した本体を備え、本体下端に介在部材を介して容器体口頸部外面へ螺合させる装着筒を垂下し、射出筒前端には、ノズル連結部材を介してノズルを嵌合させている。更に、シリンダ内にはコイルスプリングにより前方付勢させたプランジャを嵌合させ、射出筒前部から揺動可能に垂下するトリガーの上部後面へ、プランジャ前端を係合させている。垂直筒内には吸込み弁を構成する玉状弁体を装着し、また、吐出弁を構成する弾性板付きの吐出弁部材を嵌着している。そして、上記トリガー操作によるプランジャの後退で、シリンダ内の液体が吐出弁、射出筒を通ってノズルから噴出され、またトリガー開放によるプランジャの前進で、吸上げパイプ、吸込み弁を通って容器体内液体がシリンダ内へ流入する如く構成している。
【０００４】
上記トリガー式液体噴出器の構造は、装着筒と、垂直筒、シリンダ、射出筒及びカバー壁を一体化した本体と、本体と装着筒を連結する介在部材と、ノズルと、ノズルと射出筒を連結する連結部材と、トリガーと、トリガーを付勢するコイルスプリングと、プランジャと、垂直筒内で吸込み弁を形成する玉状弁体と、吐出弁を形成する弁部材と、吸上げパイプ等から構成されており、その部材数も多く、また、各部材の組み付けの煩雑さも改良の余地があった。
【先行技術文献】
【特許文献】
【０００５】
【特許文献１】特開平１０−２４９２５２号公報
【発明の概要】
【発明が解決しようとする課題】
【０００６】
本発明は上記した点に鑑みてなされたもので、極力部材数を制限するとともに、各部材の成形性を考慮し、また、組み付け操作も容易な構造を備えたトリガー式液体噴出器を提案する。
【課題を解決するための手段】
【０００７】
第１の手段として、以下の通り構成した。即ち、容器体２と、容器体２の口頸部１２に装着キャップＡを嵌合させて装着するトリガー式ポンプ３とを備え、
トリガー式ポンプ３は、上部より前方へ射出筒６４を、その下方より前方へシリンダ３０をそれぞれ突設した本体Ｂと、射出筒６４先端に嵌着したノズルＥと、本体Ｂ下部に回動可能に装着して容器体２の口頸部１２に嵌合させた装着キャップＡと、射出筒６４前部から揺動可能に垂下するトリガーＨと、シリンダ３０に前方付勢状態で嵌合させたプランジャＦとを備え、
トリガー操作によるプランジャＦの後退で、シリンダ３０内の液が吐出弁５５、射出筒６４を通ってノズルＥから噴出され、トリガー開放によるプランジャＦの前進で、容器体２内液体がパイプＣ、吸込み弁５３を通ってシリンダ３０内に流入する如く構成したトリガー式液体噴出器に於いて、
パイプＣを介して容器体２内よりシリンダ３０内に至る第１縦流路ｐ１と、シリンダ３０内より射出筒６４に至る第２縦流路ｐ２とを本体Ｂ内に備え、シリンダ３０内後端部に嵌着した弁部材Ｄにより、第１縦流路ｐ１とシリンダ３０内との間に吸込み弁５３を、シリンダ３０内と第２縦流路との間に吐出弁５５をそれぞれ形成し、
先端を吸込み弁座３３とするとともに、シリンダ３０内と縦筒２８内とを連通する筒部３２をシリンダ３０内後端に突設し、その周囲に筒状の吐出弁座３６を突設し、弁部材Ｄは、筒部３２外方に嵌着した装着筒部５０の先端に、弾性板５１で支持して吸込み弁座３３に圧接した吸込み弁体５２を張設し、吐出弁座３６内周に後端縁を圧接するスカート状の吐出弁体５４を装着筒部５０外周より突設して構成し、
吐出弁座３６の内面にシリンダ３０内と第２縦流路ｐ２との間を連通するバックサクション用の凹溝４３を設けた。
【００１０】
第２の手段として、以下の通り構成した。即ち、前記第１の手段に於いて本体Ｂを、シリンダ３０を備えた下部部材Ｂ１と、射出筒６４を備えた上部部材Ｂ２とで構成し、下部部材Ｂ１に装着キャップＡとパイプＣとプランジャＦとを、上部部材Ｂ２にノズルＥとトリガーＨと、本体Ｂの上面、両側面、後面を覆合するカバーＩとを、それぞれ装着する構成とし、プランジャＦ先端をトリガーＨに枢着させてトリガーＨの揺動とプランジャＦの前後動を連係させ、別に装着したバネ部材ＧでトリガーＨを前方付勢することでプランジャＦを前方付勢する如く構成した。
【００１１】
第３の手段として、以下の通り構成した。即ち、前記第２の手段に於いて、バネ部材Ｇは、射出筒６４の上に嵌着した取付基部８０と、取付基部８０の両側からそれぞれ垂設した一対のバネ板８１とを備え、取付基部８０にトリガーＨの上部を枢着するとともに、バネ板８１とトリガーＨとを連係させてトリガーＨを前方へ押圧付勢させている。
【００１２】
第４の手段として、以下の通り構成した。即ち、前記第２の手段又は第３の手段に於いて、下部部材Ｂ１は、周囲に装着キャップＡを回動可能に嵌合させた基筒部２５と、基筒部２５内の後部偏心位置に基筒部頂壁２７を貫通して支持されるとともに、下部にパイプＣを嵌着した縦筒２８と、縦筒２８の前部に突設したシリンダ３０とを備え、上部部材Ｂ２は、縦筒２８上端部に嵌着した嵌着筒６０より前方へ射出筒を突設し、射出筒６４先端にノズルＥを嵌着して構成し、縦筒２８内所定位置に上下を遮断する遮断壁３４を設けて、その下方を、パイプＣを介して容器体２内よりシリンダ３０内に至る第１縦流路ｐ１として構成し、その上方を、シリンダ３０内より射出筒６４に至る第２縦流路ｐ２として構成した。
【発明の効果】
【００１３】
本発明によれば、パイプＣを介して容器体２内よりシリンダ３０内に至る第１縦流路ｐ１と、シリンダ３０内より射出筒６４に至る第２縦流路ｐ２とを本体Ｂ内に備え、シリンダ３０内後端部に嵌着した弁部材Ｄにより、第１縦流路ｐ１とシリンダ３０内との間に吸込み弁５３を、シリンダ３０内と第２縦流路との間に吐出弁５５をそれぞれ形成したので、吸込み弁５３及び吐出弁５５を一つの弁部材Ｄで形成できるため、成形性の向上を図れるとともに、製造コストも低下し、また、その組み付け操作も容易となる利点がある。
【００１４】
先端を吸込み弁座３３とするとともに、シリンダ３０内と縦筒２８内とを連通する筒部３２をシリンダ３０内後端に突設し、その周囲に筒状の吐出弁座３６を突設し、弁部材Ｄは、筒部３２外方に嵌着した装着筒部５０の先端に、弾性板５１で支持して吸込み弁座３３に圧接した吸込み弁体５２を張設し、吐出弁座３６内周に後端縁を圧接するスカート状の吐出弁体５４を装着筒部５０外周より突設して構成した場合には、シリンダ３０前方からの弁部材Ｄの嵌着が容易に行えるため、組み付け操作がより簡便となる。
【００１５】
吐出弁座３６の内面にシリンダ３０内と第２縦流路ｐ２との間を連通するバックサクション用の凹溝４３を設けた場合には、トリガーＨを操作後のトリガーＨ開放時にノズルＥ先端の液を吸引する作用があるため、液ダレ等の不都合を確実に解消できる利点があり、そのための構造も極めて簡単である。
【００１６】
本体Ｂを、シリンダ３０を備えた下部部材Ｂ１と、射出筒６４を備えた上部部材Ｂ２とで構成し、下部部材Ｂ１に装着キャップＡとパイプＣとプランジャＦとを、上部部材Ｂ２にノズルＥとトリガーＨと、本体Ｂの上面、両側面、後面を覆合するカバーＩとを、それぞれ装着する構成とし、プランジャＦ先端をトリガーＨに枢着させてトリガーＨの揺動とプランジャＦの前後動を連係させ、別に装着したバネ部材ＧでトリガーＨを前方付勢することでプランジャＦを前方付勢する如く構成した場合には、細かいコイルスプリングを使用しないで済む点からも組み付け操作が容易となり、また、本体Ｂを分離成形しているにも拘わらず、例えば、従来の介在部材や連結部材を削除できているため、部材数も多くならず、しかもそれぞれの組み付け操作がより容易となる利点がある。
【００１７】
バネ部材Ｇは、射出筒６４の上に嵌着した取付基部８０と、取付基部８０の両側からそれぞれ垂設した一対のバネ板８１とを備え、取付基部８０にトリガーＨの上部を枢着するとともに、バネ板８１とトリガーＨとを連係させてトリガーＨを前方へ押圧付勢させている場合には、その構造も簡単で容易な製造が可能であるとともに、更に組み付け操作が容易となる。
【００１８】
下部部材Ｂ１は、周囲に装着キャップＡを回動可能に嵌合させた基筒部２５と、基筒部２５内の後部偏心位置に基筒部頂壁２７を貫通して支持されるとともに、下部にパイプＣを嵌着した縦筒２８と、縦筒２８の前部に突設したシリンダ３０とを備え、上部部材Ｂ２は、縦筒２８上端部に嵌着した嵌着筒６０より前方へ射出筒を突設し、射出筒６４先端にノズルＥを嵌着して構成し、縦筒２８内所定位置に上下を遮断する遮断壁３４を設けて、その下方を、パイプＣを介して容器体２内よりシリンダ３０内に至る第１縦流路ｐ１として構成し、その上方を、シリンダ３０内より射出筒６４に至る第２縦流路ｐ２として構成した場合には、複雑な本体をそれぞれ簡単構造で組付け易く分離形成しているため、各部材の製造も容易となり、また、組み付けも容易である。
【図面の簡単な説明】
【００１９】
【図１】トリガー式液体噴出器の縦断面図である。（参考例）
【図２】弁部材部分の要部縦断面図である。（参考例）
【図３】弁部材の正面図である。（参考例）
【図４】トリガー取付部分の要部説明図である。（参考例）
【図５】トリガー式液体噴出器の縦断面図である。（実施例１）
【図６】図５のｘ−ｘ線部分の連結状態を説明する縦断面図である。（実施例１）
【図７】弁部材装着部分の要部縦断面図である。（実施例２）
【発明を実施するための形態】
【００２０】
以下、本発明の形態を図面を参照して説明する。
【００２１】
図１はトリガー式液体噴出器１の参考例を示すもので、トリガー式液体噴出器１は、容器体２と、トリガー式ポンプ３とを備えている。
【００２２】
容器体２は、胴部１０より肩部１１を介して口頸部１２を起立したボトルタイプのものが使用できる。
【００２３】
トリガー式ポンプ３は、装着キャップＡと、本体Ｂと、パイプＣと、弁部材Ｄと、ノズルＥと、プランジャＦと、バネ部材Ｇと、トリガーＨと、カバーＩとを備えている。
【００２４】
装着キャップＡは、容器体２の口頸部１２外周に螺着させる周壁２０の上端より内方へフランジ２１を延設して構成している。
【００２５】
本体Ｂは、下部部材Ｂ１と、上部部材Ｂ２とで構成している。
【００２６】
下部部材Ｂ１は、外周に装着キャップＡを回動可能に嵌合させた基筒部２５を備えている。基筒部２５外周に突設したフランジ２６上に装着キャップＡのフランジ２１を遊嵌させて回動可能に装着キャップＡを嵌合させている。基筒部２５には頂壁２７を架設し、頂壁２７の後部偏心位置を貫通して縦筒２８を支持している。
【００２７】
縦筒２８の下部にはパイプＣの上端部を嵌着し、その下端を容器体２内に垂下させている。また、縦筒２８の前部で、基筒部頂壁２７上にシリンダ３０を突設している。シリンダ３０と基筒部頂壁２７とは一部を共有している。シリンダ３０の下部には容器体２内への外気の導入に寄与する透孔３１を穿設している。                                        
【００２８】
また、シリンダ３０内後端には筒部３２を突設している。筒部３２は、図２に示す如く、先端を吸込み弁座３３とするとともに、シリンダ３０内と縦筒２８内とを連通する。縦筒２８の所定位置には上下を遮断する遮断壁３４を設けており、この遮断壁３４の下方の縦筒２８内と筒部３２内を介してシリンダ３０内とを連通する如く構成しており、また、シリンダ３０内に於ける筒部３２上方の縦筒２８に穿設した透孔３５を介してシリンダ３０内と遮断壁３４上方の縦筒２８内を連通している。また、シリンダ３０内後端の上記透孔３５外周位置に、筒状の吐出弁座３６を突設している。
【００２９】
また、縦筒２８の上部はシリンダ３０の上方へ突設し、その上端前部には上部部材Ｂ２の射出筒との連通用の透孔３７を穿設している。また、縦筒２８の後部には、下面にカバーＩを係止する係止突起３８を、上面に上部部材Ｂ２を係止する係止突起３９を、それぞれ突設した突部４０を設けており、シリンダ３０の上部には射出筒６４を支持する支持板４１を起立している。
【００３０】
本発明では、特殊構成の弁部材Ｄを用いて、一つの弁部材Ｄで吸込み弁及び吐出弁を構成している。弁部材Ｄは、図２に示す如く、筒部３２外周に嵌着した装着筒部５０の先端に、図３に示す如き弾性板５１で支持した吸込み弁体５２を張設し、この吸込み弁体５２を筒部３２前面の吸込み弁座３３に圧接することで吸込み弁５３を構成している。また、装着筒部５０外周より突設するとともに、後方へ広がるスカート状をなす吐出弁体５４を突設し、吐出弁体５４の後端縁を吐出弁座３６の内周に圧接することで吐出弁５５を構成している。
【００３１】
上部部材Ｂ２は、縦筒２８の上端部外周に嵌着した有頂の嵌着筒６０を備え、嵌着筒６０の頂部より垂設したシール筒６１を縦筒２８の上端部内周に嵌着している。嵌着筒６０の後部下端に突設した係合突部６２を下部部材Ｂ１の係止突起３９と係合させて上部部材Ｂ２の上方への抜け出しを防止している。シール筒６１の前部に射出筒６４内に連通するための透孔６３を穿設している。また、嵌着筒６０の前部より前方へ、支持板４１上に嵌合してその前方へ先端を突出した射出筒６４を突設している。射出筒６４の先端には大径の嵌合筒部６５を備え、嵌合筒部６５の中央に中心軸部６６を突設している。そして、遮断壁３４の下部に、パイプＣを介して容器体２内よりシリンダ３０内に至る第１縦流路ｐ１を画成し、遮断壁３４の上部に、シリンダ３０内より射出筒６４に至る第２縦流路ｐ２を画成している。
【００３２】
射出筒６４の先端には直接ノズルＥを嵌着している。ノズルＥは嵌合筒部６５外周に回動可能に嵌合させた嵌合筒７０内に噴出口７１を備えた前板７２を架設し、前板７２の後面から中心軸部６６外周に遊嵌させた筒部７３を突設し、筒部７３内と射出筒６４内を連通するとともに、筒部７３内前部に回動により中心軸部６６先端の凹溝６７と連通する凹溝７４を備えた肉厚部を設けている。そして、凹溝相互が連通する位置にノズルＥを回動させることで、液の噴出が可能となり、また、凹溝相互の位置がずれた位置では流路が遮断される如く構成している。
【００３３】
プランジャＦは、シリンダ３０の内周に摺動する摺動部７５を本体部７６の外周より突設し、シリンダ３０内より先端部を突設してシリンダ３０内を前後動可能に装着している。
【００３４】
バネ部材Ｇは、射出筒６４の上に嵌着した取付基部８０と、取付基部８０の両側からそれぞれ垂設した一対のバネ板８１とを備えている。取付基部８０は、射出筒６４上の上板８０ａの両側から射出筒６４両側にそれぞれ垂下嵌合する一対の側板８０ｂを延設し、各側板８０ｂの前部両側に上部を固定して、前方へ突出湾曲する形態の一対のバネ板８１を垂設している。各バネ板８１の下端部からは係止用突部８２をそれぞれ垂設している。また、各バネ板８１の後方の各側板８０ｂ下端にはトリガーＨを枢着するための軸受け８３をそれぞれ垂設している。
【００３５】
トリガーＨは、一対の側板部８５間前部を前板部８６で連結し、側板部８５の上部に突設した軸８７を軸受け８３にそれぞれ軸着して本体Ｂに対して揺動可能に装着している。また、各側板部８５には、バネ部材Ｇを係止するための拡幅部分８５ａを設けている。この拡幅部分８５ａは、外側方へ広がり、下面が湾曲し、上面及び後面を開放した形態をなしており、この幅広部分１内にバネ部材Ｇの係止用突部８２を嵌入している。更に、トリガーＨの側板部８５内面に回動軸８８をそれぞれ突設しており、各回動軸８８をプランジャＦの前部両側に凹設した軸受け凹部７７にそれぞれ枢着している。
【００３６】
そして、トリガーＨを引くことでプランジャＦが後方へ移動してシリンダ３０内を加圧するとともに、バネ部材Ｇは係止用突部８２が拡幅部分８５ａの前面に当接して弾性変形し、トリガーＨの押圧を開放するとバネ部材Ｇの弾性復元でトリガーＨが前方へ揺動するとともに、プランジャＦが前方へ移動する如く構成している。
【００３７】
カバーＩは、本体Ｂの両側及び上面及び後面を覆合するもので、頂部下面に設けた係合凸部９０を上部部材Ｂ２の上面に設けた係合凹部６８に係合し、また、後部下方に穿設した係合孔９１に本体Ｂの下方の係止突起３８を係合させて装着係止している。
【００３８】
図５及び図６は本発明のトリガー式液体噴出器１の実施例を示すもので、図１の例に於いて、弁部材Ｄの形態が相違し、また、下部部材Ｂ１と上部部材Ｂ２との係止形態が相違している。
【００３９】
本例に於いて、下部部材Ｂ１に於ける筒部３２を前方へ長く形成し、筒部３２の外周に嵌合用筒４２を立設し、また、シリンダ３０の後端部内周に一体に筒状の吐出弁座３６を突設している。弁部材Ｄは、嵌合用筒４２の外周に装着筒部５０を嵌着し、装着筒部５０の頂部より前方へ螺旋状の弾性板５１を延設し、その先端に、筒部３２先端の吸込み弁座３３に圧接する吸込み弁体５２を連結し、吸込み弁体５２と吸込み弁座３３とで吸込み弁５３を構成している。また、装着筒部５０外周より突設するとともに、後方へ広がるスカート状をなす吐出弁体５４を吐出弁座３６の内周に圧接することで吐出弁５５を構成している。この場合に吐出弁座３６には一部にシリンダ内外を連通する凹溝４３を凹設しており、この凹溝４３は、図７に示す如く、前後を貫通するものであっても良い。凹溝４３の存在でバックサクション効果を生じる。
【００４０】
また、本例では、シリンダ３０の上面の支持板４１に変えて、射出筒６４の後部両側から一対の支持用板６９を垂設してシリンダ３０の両側上面に下面を当接係止させており、また、シリンダ３０の後部上面にそれぞれ透孔４４を備えた一対の係止板４５を立設し、射出筒６４の後部下面より、両側に突起９６を備えた係止用突部９７を垂設し、各突起９６を各透孔４４に嵌合することで上部部材Ｂ２の上方への抜け出しを防止している。また、カバーＩの係合孔９１に代えてカバー後部下面に起立した係合突起９２と係止突起３８とを係合させている。その他の構成は図１の例と実質的に同様であるため、説明を省略する。
【００４１】
尚、上記各部材は主として合成樹脂により形成され、必要に応じて金属或いは柔軟性のあるエラストマー等を併用することも可能である。
【符号の説明】
【００４２】
１：トリガー式液体噴出器
２：容器体
１０…胴部、１１…肩部、１２…口頸部
３：トリガー式ポンプ
Ａ：装着キャップ
２０…周壁、２１…フランジ
Ｂ：本体
Ｂ１：下部部材
２５…基筒部、２６…フランジ、２７…頂壁、２８…縦筒、３０…シリンダ、
３１…透孔、３２…筒部，３３…吸込み弁座、３４…遮断壁、３５…透孔，
３６…吐出弁座、３７…透孔、３８…係止突起、３９…係止突起、４０…突部、
４１…支持板、４２…嵌合用筒、４３…凹溝、４４…透孔、４５…係止板
Ｂ２：上部部材
６０…嵌着筒、６１…シール筒、６２…係合突部、６３…透孔、６４…射出筒、
６５…嵌合筒部、６６…中心軸部、６７…凹溝、６８…係合凹部、６９…支持用板、
９６…突起、９７…係止用突部
Ｃ：パイプ
Ｄ：弁部材
５０…装着筒部、５１…弾性板、５２…吸込み弁体、５３…吸込み弁、５４…吐出弁体、５５…吐出弁
Ｅ：ノズル
７０…嵌合筒、７１…噴出口、７２…前板、７３…筒部、７４…凹溝
Ｆ：プランジャ
７５…摺動部，７６…本体部、７７…軸受け凹部
Ｇ：バネ部材
８０…取付基部、８０ａ…上板、８０ｂ…側板、８１…バネ板、８２…係止用突部、
８３…軸受け                                                                    Ｈ：トリガー
８５…側板部、８５ａ…拡幅部分、８６…前板部、８７…軸、８８…回動軸
Ｉ：カバー
９０…係合凸部、９１…係合孔、９２…係合突起
ｐ１：第１縦流路
ｐ２：第２縦流路
【図１】
0005598924.tif 000002
【図２】
0005598924.tif 000003
【図３】
0005598924.tif 000004
【図４】
0005598924.tif 000005
【図５】
0005598924.tif 000006
【図６】
0005598924.tif 000007
【図７】
0005598924.tif 000008